(57)【特許請求の範囲】
【請求項１】
放送番組を受信する第１チューナから出力される第１映像データと、外部装置から供給される第２映像データとを切り換えて表示部に表示する表示装置に上記第２映像データを供給するデータ供給装置であって、
放送番組を受信する第２チューナと、
自装置の電源が入れられたとき、または自装置が休止状態から復帰したときに、上記表示装置に要求して、該表示装置が上記第１チューナにて受信して上記表示部に表示している放送番組を示す受信番組情報を受信する番組情報受信手段と、
上記番組情報受信手段が受信した受信番組情報が示す放送番組を上記第２チューナに受信させる連携制御手段と、
上記第２チューナで受信した放送番組の映像データと、自装置で実行されるアプリケーションプログラムによって生成される映像データとを含む映像データを、上記第２映像データとして上記表示装置へ送信するデータ送信手段とを備えていることを特徴とするデータ供給装置。
【請求項２】
自装置の電源が入れられたとき、または自装置が休止状態から復帰したときに、上記第１映像データに換えて上記第２映像データを上記表示部に表示させるための切換情報を上記表示装置に送信する手段を備えていることを特徴とする請求項１に記載のデータ供給装置。
【請求項３】
上記表示装置が上記第１チューナにて受信して上記表示部に表示していた放送番組の音声モード及び字幕モードの少なくとも一方を特定するためのモード特定情報を上記表示装置から受信し、受信したモード特定情報に基づいて第２チューナが受信する放送番組の音声モード及び字幕モードの少なくとも一方を設定するモード設定手段を備えていることを特徴とする請求項１または２に記載のデータ供給装置。
【請求項４】
自装置の動作が停止するときに、上記第２チューナが受信している放送番組と同じ放送番組を上記第１チューナに受信させるための受信番組情報と、上記第２映像データに換えて上記第１映像データを上記表示部に表示させるための切換情報とを上記表示装置に送信する切換情報送信手段とを備えていることを特徴とする請求項１から３の何れか１項に記載のデータ供給装置。
【請求項５】
放送番組を受信する第１チューナから出力される第１映像データと、外部装置から供給される第２映像データとを切り換えて表示部に表示する表示装置に上記第２映像データを供給するデータ供給装置のデータ供給方法であって、
上記データ供給装置は、放送番組を受信する第２チューナを備えており、
自装置の電源が入れられたとき、または自装置が休止状態から復帰したときに、上記表示装置に要求して、該表示装置が上記第１チューナにて受信して上記表示部に表示している放送番組を示す受信番組情報を受信する番組情報受信ステップと、
上記番組情報受信ステップにて受信した受信番組情報が示す放送番組を上記第２チューナに受信させる連携制御ステップと、
上記第２チューナで受信した放送番組の映像データと、自装置で実行されるアプリケーションプログラムによって生成される映像データとを含む映像データを、上記第２映像データとして上記表示装置へ送信するデータ送信ステップとを含むことを特徴とするデータ供給方法。
【請求項６】
請求項１から４の何れか１項に記載のデータ供給装置と、上記表示装置とを含むデータ表示システム。
【請求項７】
請求項１から４の何れか１項に記載のデータ供給装置を動作させるためのプログラムであって、コンピュータを上記各手段として機能させるためのプログラム。
【発明の詳細な説明】
【技術分野】
【０００１】
本発明は、表示装置が表示するデータを供給するデータ供給装置等に関するものである。
【背景技術】
【０００２】
従来、パーソナルコンピュータ（以下、ＰＣ）は、専用の表示装置を備えているものが一般的であったが、近年ではＰＣの表示装置としてテレビを使用するシステムが普及している。このシステムでは、テレビは、ＰＣからテレビへと送られる各種データを出力することができると共に、テレビの出力モード切り換えを行うことによって、テレビが受信する放送を出力することもできる。このシステムでは、ＰＣの表示装置を別途設ける必要がないので効率がよい。なお、以下では、上記システムにおいてテレビが受信する放送が出力される状態をテレビモードと呼び、ＰＣからテレビへと送られる各種データが出力される状態をＰＣモードと呼ぶ。
【特許文献１】特開２００６‐６７１９８号公報（２００６年３月９日公開）
【発明の開示】
【発明が解決しようとする課題】
【０００３】
しかしながら、上記システムでは、テレビモードとＰＣモードとの切り換えを行う際の操作性が悪いという問題がある。例えば、テレビモードからＰＣモードに切り換える場合には、上記システムのユーザは、ＰＣの電源を入れた後、リモコン操作等によってテレビの出力をＰＣへと切り換える必要がある。
【０００４】
これについて、図１２に基づいて説明する。同図（ａ）は、テレビモードにて表示される映像の一例を示す図である。図示のように、テレビ１０１の表示部１０２には、番組Ａの映像が表示されている。ここで、同図（ａ）の状態（テレビモード）にて、ＰＣ１０３の電源を入れることによって、ＰＣ１０３が出力するデータがＰＣ１０３からテレビ１０１へと送信されるようになる。
【０００５】
同図（ｂ）は、テレビモードにてＰＣ１０３の電源を入れた後に表示される映像の一例を示す図である。図示のように、ＰＣ１０３の電源が入った後も、テレビ１０１がテレビモードであるため、表示部１０２には引き続き番組Ａが表示される。したがって、ユーザが表示部１０２にＰＣ１０３から出力されるデータを表示させるためには、例えばリモコンＲのような入力装置を用いてＰＣモードへの切り換えを行う必要がある。
【０００６】
同図（ｃ）は、ＰＣ１０３の電源を入れた後にＰＣモードへの切り換えを行ったときに表示される映像の一例を示す図である。図示のように、表示部１０２には、ＰＣ１０３が出力するデータ（インターネットのウェブページのウインドウ）が表示されている。
【０００７】
このように、従来の技術では、まず同図（ａ）に示すようにＰＣ１０３の電源を入れ、次に同図（ｂ）に示すようにリモコンＲを用いてＰＣモードへの切り換えを行うことによって、同図（ｃ）に示すようにＰＣ１０３が出力するデータが表示部１０２に表示されていた。つまり、従来はテレビモードからＰＣモードへの切り換えには、ＰＣの起動とＰＣモードへの切り換え操作との２ステップを必要としており、操作性が悪いという問題があった。
【０００８】
また、上記従来のシステムでは、ＰＣモードにてＰＣの電源を切った場合には、ＰＣからテレビへとデータが送信されなくなるので、テレビには映像が表示されなくなる。そのため、ユーザは、ＰＣの電源を切った後にテレビを視聴するためには、リモコンなどを用いてテレビモードへの切り換え操作を行う必要が生じる。このように、上記従来のシステムでは、ＰＣモードからテレビモードへの切り換え、及びテレビモードからＰＣモードへの切り換え操作が煩雑であるという問題があった。
【０００９】
上記の問題を解決する方法として、例えばＰＣの電源を入れるときに自動的にＰＣモードに設定することが考えられる。しかしながら、ＰＣの電源を入れるときに自動的にＰＣモードに設定する場合には、テレビモードにて出力されていた番組がＰＣモードでは出力されなくなるので、ユーザの番組視聴が途切れるという問題がある。
【００１０】
ところで、近年では、地上デジタル放送やワンセグ放送（携帯電話・移動体端末向けの１セグメント部分受信サービス）等のデジタル放送サービスが提供されており、チューナを搭載して放送を受信可能にしたＰＣも普及している。このようなＰＣは、放送を出力しながら、ＰＣの他の機能（例えば、電子メール、インターネット接続、文書作成等）を実行することができる。
【００１１】
ここで、上記従来のシステムにおいても、放送を受信可能なＰＣを用いることができる。この場合には、ＰＣモードにおいても、ＰＣが受信する放送（例えばワンセグ放送）をテレビに出力させることができる。もちろん、上記システムのユーザがテレビ視聴のみを行いたい場合には、テレビの出力の切り換えを行うことにより、テレビが受信する放送をテレビに出力させることもできる。
【００１２】
しかしながら、ＰＣが備えているチューナとテレビが備えているチューナとは別のものなので、ＰＣの電源を入れてＰＣモードに切り換えたときに出力される番組は、テレビモードで出力されていた番組と同じになるとは限らない。したがって、ＰＣにチューナを搭載した場合であっても、ＰＣの電源を入れてテレビモードからＰＣモードへと切り換えたときには、ユーザの番組の視聴はやはり中断されてしまうおそれがある。
【００１３】
ここで、上記特許文献１では、地上デジタル放送を受信する携帯受信機と固定受信機とからなるシステムが開示されている。具体的には、特許文献１のシステムでは、携帯受信機にてあるテレビ番組を視聴しているときに、所定のボタン操作を行うと、携帯受信機で視聴しているテレビ番組の情報が固定受信機に送られるようになっている。また、特許文献１のシステムでは、固定受信機にてあるテレビ番組を視聴しているときに、所定のボタン操作を行うと、固定受信機で視聴しているテレビ番組の情報が携帯受信機に送られるようになっている。
【００１４】
これにより、特許文献１のシステムでは、簡単な操作にて携帯受信機で視聴しているテレビ番組を固定受信機で視聴することができる。これは、例えば外出中に携帯受信機で視聴していたテレビ番組を自宅等に戻ったときに固定受信機で視聴する場合に便利である。同様に、特許文献１のシステムでは、簡単な操作にて固定受信機で視聴しているテレビ番組を携帯受信機で視聴することができる。これは、例えば固定受信機で視聴していたテレビ番組を外出の際に携帯受信機で視聴する場合に便利である。
【００１５】
しかしながら、上記特許文献１の技術を、テレビをＰＣの表示装置として使用するシステムに適用した場合であっても、ＰＣからテレビへ、あるいはテレビからＰＣへの出力切り換えを行うときに同じ番組を続けて視聴するためには、ユーザがボタン操作を行う必要がある。
【００１６】
以上のように、従来のシステムでは、ＰＣモードからテレビモードへの切り換え、及びテレビモードからＰＣモードへの切り換え操作が煩雑である。そして、テレビモードからＰＣモードに、またＰＣモードからテレビモードに切り換えを行った場合に、同じ番組を続けて視聴するためには、ユーザが選局操作等を行う必要があり、選局操作の間には番組の視聴が中断してしまうという問題があった。
【００１７】
本発明は、上記の問題点に鑑みてなされたものであり、その目的は、ユーザがＰＣモードからテレビモードへの切り換え、またはテレビモードからＰＣモードへの切り換えをスムーズに行うことができると共に、テレビの視聴が中断することのないデータ供給装置等を実現することにある。
【課題を解決するための手段】
【００１８】
本発明に係るデータ供給装置は、上記課題を解決するために、第１チューナで受信された番組のデータを含む第１データ、または第２チューナで受信された番組のデータを含む第２データを表示し、上記第１チューナを備えている表示装置に上記第２データを供給するデータ供給装置であって、上記第２チューナと、上記第２チューナが受信した番組のデータを含む第２データを上記表示装置へ送信するデータ送信手段とを備えていると共に、上記表示装置が上記第１チューナにて受信して表示していた番組を特定する受信番組情報を受信する番組情報受信手段と、自装置が起動したときに、上記表示装置に、上記第１データの代わりに、上記データ送信手段が送信する上記第２データを表示させる切換信号を送信する切換信号送信手段と、上記第２チューナに上記受信番組情報によって特定された番組と同じ内容を含む番組のデータを受信させる連携制御手段とを備えていることを特徴としている。
【００１９】
また、本発明に係るデータ供給方法は、上記課題を解決するために、第１チューナで受信された番組のデータを含む第１データ、または第２チューナで受信された番組のデータを含む第２データを表示し、上記第１チューナを備えている表示装置に上記第２データを供給するデータ供給装置のデータ供給方法であって、上記データ供給装置は、上記第２チューナを備えており、上記第２チューナが受信した番組のデータを含む第２データを上記表示装置へ送信するデータ送信ステップと、上記表示装置が上記第１チューナにて受信して表示していた番組を特定する受信番組情報を受信する番組情報受信ステップと、自装置が起動したときに、上記表示装置に、上記第１データの代わりに、上記データ送信送信ステップにて送信する上記第２データを表示させる切換信号を送信する切換信号送信ステップと、上記第２チューナに上記受信番組情報によって特定された番組と同じ内容を含む番組のデータを受信させる連携制御ステップとを含むことを特徴としている。
【００２０】
上記の構成によれば、上記データ供給装置が起動するときには、上記表示装置に、上記第１データの代わりに上記データ送信手段が送信する上記第２データを表示させる切換信号が送信される。
【００２１】
すなわち、上記の構成によれば、上記データ供給装置のユーザは、該データ供給装置を起動させるために必要な操作を行うだけで、上記表示装置に第２データを表示させることができる。なお、データ供給装置を起動させるために必要な操作としては、例えばデータ供給装置の電源を入れる、データ供給装置を起動休止状態から復帰させるための入力操作を行う等が考えられる。
【００２２】
また、上記の構成によれば、上記表示装置が上記第１チューナにて受信して表示していた番組を特定する受信番組情報が受信されると共に、該受信番組情報によって特定された番組のデータは、自装置が備える第２チューナによって受信される。そして、第２チューナが受信した番組のデータは、上記表示装置に送信されて表示される。
【００２３】
すなわち、上記の構成によれば、表示装置が表示するデータが第１データから第２データへと切り換わったときに、切り換え前と同じ内容を含む番組が表示装置に表示される。したがって、上記の構成によれば、ユーザは、上記データ供給装置の電源を入れる等してデータ供給装置を起動させるだけで、上記データ供給装置が出力する第２データを表示装置に表示させることができると共に、データ供給装置を起動させる前と同じ内容を含む番組を引き続き視聴することができる。
【００２４】
なお、上記番組のデータとは、第１または第２チューナが受信した放送波に含まれる映像データを指す。また、放送波に音声データ等の映像データ以外のデータが含まれている場合には、これらのデータも番組のデータとして表示装置に送信するようにすればよい。これにより、表示装置に音声出力装置（例えばスピーカ）等のデータ出力手段を設けることによって、番組の映像データと共に音声等のデータも出力させることができる。
【００２５】
また、上記表示装置としては、一般に広く普及しているテレビ（テレビジョン受信機）を適用することが好ましい。また、上記データ供給装置としては、例えば、多様なデータ処理及びデータ出力が可能なＰＣ（パーソナルコンピュータ）を適用することが好ましい。
【００２６】
なお、上記第２チューナが受信する番組は、第１チューナが受信していた番組と全く同じである必要はない。これは、上記第１チューナと第２チューナとは、別個のチューナであるため、完全に同じ番組を受信することができない場合があるためである。
【００２７】
例えば、第１チューナが地上デジタル放送を受信するチューナであり、第２チューナがワンセグ放送を受信するチューナである場合を考える。この場合には、ワンセグ放送の番組は、地上デジタル放送の番組と対応しており、同じ内容を含むものの、内容が完全に同じではない。このような場合には、地上デジタル放送の番組と対応する、すなわち同じ内容を含むワンセグ放送の番組を第２チューナにて受信するようにすればよい。言い換えれば、第１チューナが受信していた放送局の番組と、同じ放送局の番組を第２チューナにて受信するようにすればよい。
【００２８】
なお、本発明では、ユーザの番組視聴が途切れることがなければよい。したがって、第２チューナが受信する番組は、第１チューナが受信していた番組と放送局が異なっていたとしても、同じ内容が含まれている番組であればよい。例えば、第１チューナにてスポーツの試合等を受信していた場合に、第２チューナで受信する番組は、上記と同じ試合を放送している番組であれば、放送局が異なっていても構わない。
【００２９】
また、本発明に係るデータ供給装置は、上記課題を解決するために、第１チューナで受信された番組のデータを含む第１データ、または第２チューナで受信された番組のデータを含む第２データを表示し、上記第１チューナを備えている表示装置に上記第２データを供給するデータ供給装置であって、上記第２チューナと、自装置の動作が停止するときに、上記第２チューナが受信している番組と同じ内容を含む番組のデータを上記第１チューナに受信させると共に、該受信させた番組のデータを第１データとして上記表示装置に表示させるための番組切換情報を上記表示装置に送信する番組切換情報送信手段とを備えていることを特徴としている。
【００３０】
また、本発明に係るデータ供給方法は、上記課題を解決するために、第１チューナで受信された番組のデータを含む第１データ、または第２チューナで受信された番組のデータを含む第２データを表示し、上記第１チューナを備えている表示装置に上記第２データを供給するデータ供給装置のデータ供給方法であって、上記データ供給装置は、上記第２チューナを備えており、自装置の動作が停止するときに、上記第２チューナが受信している番組と同じ内容を含む番組のデータを上記第１チューナに受信させると共に、該受信させた番組のデータを第１データとして上記表示装置に表示させるための番組切換情報を上記表示装置に送信する番組切換情報送信ステップとを含むことを特徴としている。
【００３１】
上記の構成によれば、上記データ供給装置が動作を停止するときには、上記表示装置に、上記第２チューナが受信している番組と同じ内容を含む番組のデータを上記第１チューナに受信させると共に、該受信させた番組のデータを第１データとして上記表示装置に表示させるための番組切換情報が送信される。
【００３２】
すなわち、上記の構成によれば、上記データ供給装置のユーザは、該データ供給装置の動作を停止させるために必要な操作を行うだけで、上記表示装置に第１データを表示させることができる。なお、データ供給装置の動作を停止させるために必要な操作としては、例えばデータ供給装置の電源を切る、データ供給装置を起動休止状態にするための入力操作を行う等が考えられる。また、所定の条件を満たしたときに（例えば操作入力が行われない状態で一定時間が経過したとき）に自動的に休止状態にするようにしてもよい。この場合には、ユーザは何ら操作を行う必要はない。
【００３３】
また、上記の構成によれば、データ供給装置が上記第２チューナにて受信して表示装置に送信していた番組と同じ内容を含む番組のデータが、表示装置が備える第１チューナによって受信されて表示される。
【００３４】
すなわち、上記の構成によれば、表示装置が表示するデータが第２データから第１データへと切り換わったときに、切り換え前と同じ内容を含む番組が表示装置に表示される。したがって、上記の構成によれば、ユーザは、上記データ供給装置の電源を切る等してデータ供給装置の動作を停止させるだけで、上記表示装置が備える第１チューナが受信する第１データを該表示装置に表示させることができると共に、データ供給装置の動作を停止させる前と同じ内容を含む番組を引き続き視聴することができる。
【００３５】
なお、上述のように、第１チューナと第２チューナとは、別個のチューナであるから、第１チューナに受信させる番組は、第２チューナで受信していた番組と完全に同じ番組である必要はなく、同じ内容を含む番組であればよい。
【００３６】
また、上記データ供給装置は、上記表示装置が上記第１チューナにて受信して表示していた番組の音声モード及び字幕モードの少なくとも一方を特定するためのモード特定情報を上記表示装置から受信し、受信したモード特定情報に基づいて第２チューナが受信する番組の音声モード及び字幕モードの少なくとも一方を設定するモード設定手段を備えていることが好ましい。
【００３７】
上記の構成によれば、表示装置が上記第１チューナにて受信して表示していた番組の音声モード及び字幕モードの少なくとも一方を特定するためのモード特定情報によって第２チューナが受信する番組の音声モード及び字幕モードの少なくとも一方が設定される。これにより、第２チューナに受信させる番組の音声モード及び字幕モードの少なくとも一方を、第１チューナが受信している番組の音声モード及び字幕モードと一致させることができる。
【００３８】
すなわち、上記の構成によれば、データ供給装置が起動する際には、表示装置の出力が第１チューナで受信された番組のデータから、第２チューナで受信された番組のデータへと切り換えられるが、出力切り換えの後の音声モード及び字幕モードの少なくとも一方が出力切り換え前と同じになる。したがって、ユーザは、データ供給装置を起動させた後に、音声モードや字幕モードを再設定する必要がなくなる。
【００３９】
また、上記データ供給装置は、上記第２チューナにて受信していた番組の音声モード及び字幕モードの少なくとも一方を特定するためのモード特定情報を上記表示装置に送信するモード特定情報送信手段を備えていることが好ましい。
【００４０】
上記の構成によれば、第２チューナにて受信していた番組の音声モード及び字幕モードの少なくとも一方を特定するためのモード特定情報が表示装置に送信されるので、表示装置は、第１チューナにて受信して表示する番組の音声モード及び字幕モードの少なくとも一方を上記第２チューナにて受信していた番組の音声モード及び字幕モードと同じにすることができる。したがって、ユーザは、データ供給装置の動作を停止させた後に、音声モードや字幕モードを再設定する必要がなくなる。
【００４１】
また、本発明のデータ表示システムは、上記課題を解決するために、上記データ供給装置と表示装置とを含むことを特徴としている。
【００４２】
上記の構成によれば、データ出力装置を起動させた場合に、表示装置に表示されるデータが第２データに自動的に切り換わる。または、上記の構成によれば、データ出力装置の動作を停止させた場合に、表示装置に表示されるデータが第１データに自動的に切り換わる。そして、上記のいずれの場合においても、切り換え前と同じ内容を含む番組が表示装置に引き続き表示される。
【００４３】
なお、上記データ供給装置は、コンピュータによって実現してもよく、この場合には、コンピュータを上記データ供給装置の各手段として動作させることにより、上記データ供給装置をコンピュータにて実現させるプログラム、及びそれを記録したコンピュータ読み取り可能な記録媒体も本発明の範疇に入る。
【発明の効果】
【００４４】
以上のように、本発明に係るデータ供給装置は、第２チューナと、上記第２チューナが受信した番組のデータを含む第２データを上記表示装置へ送信するデータ送信手段とを備えていると共に、上記表示装置が上記第１チューナにて受信して表示していた番組を特定する受信番組情報を受信する番組情報受信手段と、自装置が起動したときに、上記表示装置に、上記第１データの代わりに、上記データ送信手段が送信する上記第２データを表示させる切換信号を送信する切換信号送信手段と、上記第２チューナに上記受信番組情報によって特定された番組と同じ内容を含む番組のデータを受信させる連携制御手段とを備えている構成である。
【００４５】
また、本発明に係るデータ供給方法は、以上のように、データ供給装置は、上記第２チューナを備えており、上記第２チューナが受信した番組のデータを含む第２データを上記表示装置へ送信するデータ送信ステップと、上記表示装置が上記第１チューナにて受信して表示していた番組を特定する受信番組情報を受信する番組情報受信ステップと、自装置が起動したときに、上記表示装置に、上記第１データの代わりに、上記データ送信送信ステップにて送信する上記第２データを表示させる切換信号を送信する切換信号送信ステップと、上記第２チューナに上記受信番組情報によって特定された番組と同じ内容を含む番組のデータを受信させる連携制御ステップとを含む構成である。
【００４６】
したがって、上記データ出力装置のユーザは、データ出力装置を起動させるだけで、表示装置の表示を第１データから第２データへと切り換えさせることができると共に、切り換え時に番組の視聴が中断することがないという効果を奏する。
【００４７】
そして、本発明に係るデータ供給装置は、以上のように、第２チューナと、自装置の動作が停止するときに、上記第２チューナが受信している番組と同じ内容を含む番組のデータを上記第１チューナに受信させると共に、該受信させた番組のデータを第１データとして上記表示装置に表示させるための番組切換情報を上記表示装置に送信する番組切換情報送信手段とを備えている構成である。
【００４８】
また、本発明に係るデータ供給方法は、以上のように、上記データ供給装置は、上記第２チューナを備えており、自装置の動作が停止するときに、上記第２チューナが受信している番組と同じ内容を含む番組のデータを上記第１チューナに受信させると共に、該受信させた番組のデータを第１データとして上記表示装置に表示させるための番組切換情報を上記表示装置に送信する番組切換情報送信ステップとを含む構成である。
【００４９】
したがって、上記データ出力装置のユーザは、データ出力装置の動作を停止させるだけで、表示装置の表示を第２データから第１データへと切り換えさせることができると共に、切り換え時に番組の視聴が中断することがないという効果を奏する。
【発明を実施するための最良の形態】
【００５０】
本発明の一実施形態について図１から図９に基づいて説明すると以下の通りである。まず、本実施形態の映像表示システムの概要について図１に基づいて説明する。図１は、映像表示システム１の要部構成を示すブロック図である。図示のように、映像表示システム（データ表示システム）１は、ＰＣ（データ供給装置）１１とテレビ（表示装置）２１とを含む構成である。
【００５１】
ＰＣ１１は、汎用のコンピュータであり、図示のように、主制御部１２、補助記憶部１３、ＰＣ側連携制御部（連携制御手段、切換信号送信手段、番組切換情報送信手段）１４、ＰＣ側通信Ｉ／Ｆ（番組情報受信手段）１５、ワンセグチューナ（第２チューナ）１６、画像出力制御部１７、及び表示出力Ｉ／Ｆ（データ送信手段）１８を備えている。また、図示していないが、ＰＣ１１は例えばマウスやキーボードのような入力装置を備えており、映像表示システム１のユーザは、上記入力装置を用いてＰＣ１１の操作ができるようになっている。
【００５２】
主制御部１２は、ＰＣ１１の機能を統括して制御するものであり、図示のように、中央処理部１２ａ及び主記憶部１２ｂを備えている。主記憶部１２ｂは、図示しないＲＯＭ（Read Only Memory）及びＲＡＭ（Random Access Memory）を備えている。ＲＯＭには、ＰＣ１１が動作する上で最低限必要となるデータ、例えばＢＩＯＳ（basic input output system）のプログラムデータ及びＯＳ（operating system）のプログラムデータ等が記録されている。また、ＲＡＭは、主制御部１２による情報処理が行われる際の作業メモリとして機能する。
【００５３】
すなわち、主制御部１２の機能は、主記憶部１２ｂのＲＡＭを作業メモリとして、中央処理部１２ａがプログラムの実行や演算等を行うことによって実現される。なお、主制御部１２は、図示している以外にも、計時手段（例えば時計）等の中央処理部１２ａがプログラムの実行や演算等を行う際に必要な構成を備えている。
【００５４】
補助記憶部１３は、主記憶部１２ｂの容量を補う等の目的に使用される装置である。補助記憶部１３には、ＰＣ１１が動作するために必要なプログラムやデータ等が記録されている。補助記憶部１３は、プログラムやデータを主制御部１２等のＰＣ１１の各構成要素が読み出し可能に格納できるものであればよい。補助記憶部１３としては、例えばハードディスク等を適用することができる。また、補助記憶部１３は、ＰＣ１１に着脱可能な記録媒体であってもよい。
【００５５】
ＰＣ側連携制御部１４は、ＰＣ側通信Ｉ／Ｆ１５を介してテレビ２１と制御信号の送受信を行うことによって、ＰＣ１１とテレビ２１との出力切り換えの制御を行う切換信号送信手段としての役割を果たす。また、ＰＣ側連携制御部１４は、ワンセグチューナ１６が受信する番組とテレビが受信する番組とを連携させるＰＣ−テレビ連携処理及びテレビ−ＰＣ連携処理を行う。これらの処理の詳細については後述する。
【００５６】
ＰＣ側通信Ｉ／Ｆ１５は、テレビ２１と通信を行うためのインターフェイスである。具体的には、図示のように、ＰＣ側通信Ｉ／Ｆ１５からテレビ２１へとＰＣ１１とテレビ２１とでチャンネルの連携を行うための連携コマンド等が送信される。また、テレビ２１からＰＣ側通信Ｉ／Ｆ１５へと後述するチャンネルコード等が送信される。ここでは、ＰＣ側通信Ｉ／Ｆ１５は、ＨＤＭＩ（High-Definition Multimedia Interface）端子であることを想定している。
【００５７】
なお、ＰＣ１１とテレビ２１との通信方法は特に限定されず、公知の通信方法を適用することができる。例えば、ＲＳ２３２Ｃや、ｉ．Ｌｉｎｋ（登録商標）、Ｂｌｕｅｔｏｏｔｈ（登録商標）、ＺｉｇＢｅｅ（登録商標）、Ｗｉ−Ｆｉ（登録商標）、ＵＷＢ（Ultra Wide Band）、ＩｒＤＡ、などを用いてＰＣ１１とテレビ２１とが通信するようにしてもよく、通信方法に合わせてＰＣ側通信Ｉ／Ｆ１５も適宜変更することが可能である。
【００５８】
ワンセグチューナ１６は、ワンセグ放送を受信するためのチューナである。具体的には、ワンセグチューナ１６は、図示しないアンテナが受信した放送波の中から、ＰＣ側連携制御部１４が指定するチャンネルの電波に復調処理を行って映像データを生成する。そして、ワンセグチューナ１６は、上記生成した映像データを画像出力制御部１７に送る。以下では、ワンセグチューナ１６をＰＣ側チューナと呼ぶ。
【００５９】
なお、ＰＣ１１が備えているチューナは、放送を受信するものであればよく、ワンセグチューナ１６に限られない。しかしながら、ＰＣ１１が備えるチューナが出力する映像データは、例えば主制御部１２が実行中のアプリケーションソフトに関連する映像データ等のＰＣ１１が出力するデータと共にＰＣ１１から出力される。したがって、ＰＣ１１及びテレビ２１が映像データの表示に要する処理能力という観点から考えると、ＰＣ１１が備えるチューナが出力する映像データは、データ量が少ない方が好ましい。
【００６０】
そのため、ＰＣ１１は、地上デジタル放送と比べてデータ量が少ないワンセグ放送を受信するワンセグチューナ１６を備えていることが好ましい。また、この観点から、ＰＣ１１が備えるチューナは、携帯受信機向けの放送であるモバイル放送を受信するものであってもよい。さらに、ＰＣ１１が備えるチューナは、ラジオ放送を受信するものであってもよい。この場合には、ラジオ放送の音声等のデータがテレビ２１の図示しないスピーカ等から出力されることになる。
【００６１】
画像出力制御部１７は、ワンセグチューナ１６から受け取った映像データに所定の画像処理を施して表示出力Ｉ／Ｆ１８に送る。具体的には、上記映像データは、所定の方式（例えば、ＭＰＥＧ−２方式や、Ｈ．２６４方式等）で符号化されているので、画像出力制御部１７は、これをデコードして表示出力Ｉ／Ｆ１８に送る。
【００６２】
表示出力Ｉ／Ｆ１８は、画像出力制御部１７から受け取った映像データ等のテレビ２１に出力させるデータをテレビ２１に送信するためのインターフェイスである。以下では、表示出力Ｉ／Ｆ１８からテレビ２１へと送信されるデータをＰＣ出力データと呼ぶ。表示出力Ｉ／Ｆ１８は、映像データをテレビ２１に送信することができるものであれば特に限定されず、ＰＣ側通信Ｉ／Ｆ１５と同様に映像データの送信方法に応じて様々な変形が可能である。また、図１では、説明のため、表示出力Ｉ／Ｆ１８とＰＣ側通信Ｉ／Ｆ１５とを別個のブロックとして記載しているが、表示出力Ｉ／Ｆ１８とＰＣ側通信Ｉ／Ｆ１５とを一体に構成してもよい。
【００６３】
テレビ２１は、放送波を受信して映像を表示する装置であり、図示のように、テレビ側通信Ｉ／Ｆ２２、ＰＣ入力Ｉ／Ｆ２３、テレビ側連携制御部２４、記憶部２５、デジタルチューナ（第１チューナ）２６、アナログチューナ（第１チューナ）２７、出力切換部２８、画像処理制御部２９、及び表示部３０を備えている。
【００６４】
テレビ側通信Ｉ／Ｆ２２はＰＣ１１と通信を行うためのインターフェイスであり、ＰＣ入力Ｉ／Ｆ２３はＰＣ１１から出力される映像データ等を受け取るインターフェイスである。テレビ側通信Ｉ／Ｆ２２及びＰＣ入力Ｉ／Ｆ２３は、それぞれＰＣ側通信Ｉ／Ｆ１５及び表示出力Ｉ／Ｆ１８と通信可能な構成であればよい。
【００６５】
テレビ側連携制御部２４は、ＰＣ１１とテレビ２１との出力切り換えの制御を行う。また、テレビ側連携制御部２４は、ワンセグチューナ１６が受信する番組とデジタルチューナ２６またはアナログチューナ２７が受信する番組とを連携させるＰＣ−テレビ連携処理及びテレビ−ＰＣ連携処理を行う。これらの処理の詳細については後述する。
【００６６】
記憶部２５は、テレビ２１が動作するために必要なプログラムやデータ等を記憶する装置である。記憶部２５は、プログラムやデータをテレビ側連携制御部２４等のテレビ２１の各構成要素が読み出し可能に格納できるものであればよい。また、記憶部２５には、デジタルチューナ２６またはアナログチューナ２７が受信中の、あるいは最後に受信したチャンネルを示すチャンネル情報を格納するチャンネルメモリが含まれている。
【００６７】
デジタルチューナ２６は、地上デジタル放送を受信するチューナであり、アナログチューナ２７は、地上波アナログ放送を受信するチューナである。以下では、デジタルチューナ２６及びアナログチューナ２７をテレビ側チューナと呼ぶ。また、テレビ側チューナが受信したデータをテレビ受信データと呼ぶ。テレビ側チューナは、図示しないアンテナが受信した放送波の中から、テレビ側連携制御部２４が指定するチャンネルの電波に復調処理を行って映像データを生成する。そして、テレビ側チューナは、上記生成した映像データを出力切換部２８に送る。
【００６８】
なお、本実施形態では、テレビ２１がデジタルチューナ２６とアナログチューナ２７との２つのチューナを備えている例を示しているが、テレビ２１は放送を受信するためのチューナを少なくとも１つ備えていればよい。また、テレビ側チューナは、地上デジタル放送を受信するチューナ及び地上波アナログ放送を受信するチューナに限られない。例えば、テレビ側チューナは、ＢＳチューナやＣＳチューナであってもよい。
【００６９】
出力切換部２８は、表示部３０に出力するデータを切り換えるものである。具体的には、出力切換部２８は、テレビ側連携制御部２４の指示に従って、テレビ側チューナが受信中のテレビ受信データ、またはＰＣ入力Ｉ／Ｆ２３が受信中のＰＣ出力データの何れか一方を画像処理制御部２９に送る。
【００７０】
画像処理制御部２９は、出力切換部２８から受け取った映像データに所定の画像処理を施して表示部３０に出力する。画像処理制御部２９が画像処理を施すことにより、出力切換部２８から受け取った映像データは、表示部３０に表示できる状態となる。
【００７１】
表示部３０は、画像を表示する装置であり、画像処理制御部２９から受け取ったデータに基づいて映像の表示を行う。表示部３０としては、例えばＣＲＴ（Cathode Ray Tube）表示装置、ＬＣ（Liquid Crystal）表示装置、及びＥＬ（Electro Luminescence）表示装置などを適用することができる。
【００７２】
なお、本実施形態では、簡単のため、映像（画像）の出力についてのみ説明するが、音声等のデータについても映像と同様にして出力される。例えば、ＰＣ１１からテレビ２１へと音声データ等のデータが送信された場合に、出力切換部２８がＰＣ１１から受信したデータを出力するように設定されているとき（ＰＣモード）には、上記音声データがテレビ２１の備える図示しないスピーカから出力される。また、出力切換部２８がテレビ受信データを出力するように設定されているとき（テレビモード）には、テレビ受信データに含まれる音声データが上記スピーカから出力される。
【００７３】
〔映像表示処理の流れ〕
映像表示システム１における映像表示処理の流れについて図２に基づいて説明する。図２は、映像表示処理の一例を示すフローチャートである。図示のように、ここではまずＰＣモードに設定されることを想定している（Ｓ１）。なお、ＰＣモードとは、表示部３０にＰＣ１１から送られる映像信号（ＰＣ出力データ）が出力される状態を指す。
【００７４】
ここで、映像表示システム１では、ＰＣ１１が起動するときにＰＣモードに設定されるようになっている。具体的には、ＰＣ１１の電源を入れるとＯＳが起動し、ＯＳが起動するとＰＣ側連携制御部１４も起動する。ＰＣ側連携制御部１４は、起動を開始したときにテレビ２１の出力をＰＣ１１に切り換えるように指示するＰＣモード切換信号をＰＣ側通信Ｉ／Ｆ１５を介してテレビ２１に送信する。すなわち、映像表示システム１は、ユーザがＰＣ１１の電源を入れるだけで自動的にＰＣモードとなる。
【００７５】
ＰＣモードに設定されると（Ｓ２）、表示部３０は、ＰＣ１１の表示装置として機能する。すなわち、ＰＣモードでは、表示部３０にはＰＣ１１の表示出力Ｉ／Ｆ１８から出力されるＰＣ出力データが表示される。具体的には、表示部３０には、ＰＣ側チューナが受信した放送の映像や、ＰＣ１１で実行される様々なアプリケーションプログラムによって生成される映像等がウインドウで表示される。
【００７６】
なお、ＰＣ側連携制御部１４は、ＰＣモードに設定されたときに、出力モードがＰＣモードに設定されたことを示すデータを出力するようにしてもよい。例えば、図３に示すように、「ＰＣモードに設定されました」とのテキストを表示部３０に表示させることにより、出力モードがＰＣモードに設定されたことをユーザに認識させることができる。なお、出力モードがＰＣモードに設定されたことを示すデータは、例えば補助記憶部１３に予め格納しておけばよい。そして、例えばＰＣ側連携制御部１４が、ＰＣモード切換信号の送信時に上記データを読み出して表示出力Ｉ／Ｆ１８からテレビ２１に送信すればよい。
【００７７】
なお、出力モードがＰＣモードに設定されたことを示す情報は、ユーザが出力モードの設定がＰＣモードとなったことを認識できるものであればよく、特に限定されない。例えば、音声等で出力モードがＰＣモードに設定されたことをユーザに認識させるものであってもよい。
【００７８】
ＰＣモードでは、ＰＣ側連携制御部１４がテレビモードへの切り換え指示の有無を確認する（Ｓ３）。なお、テレビモードとは、表示部３０にテレビ受信データが出力される状態を指す。一度ＰＣモードに設定された後、ＰＣ側連携制御部１４がテレビモードへの切り換え指示が行われたことを確認するまでの間、及びＰＣ１１がシャットダウンされて起動停止する、あるいは休止状態となるまでの間は、ＰＣモードが継続する。
【００７９】
言い換えれば、ＰＣ側連携制御部１４がテレビモードへの切り換え指示が行われたことを確認した場合（Ｓ３でＹｅｓ）、及びＰＣ１１が起動停止あるいは休止状態となった場合（Ｓ４でＹｅｓ）に、ＰＣ−テレビ連携処理が実行される（Ｓ５）。そして、これにより映像表示システム１は、テレビモードへと移行してテレビ受信データが表示部３０に出力されるようになる。
【００８０】
テレビモードへの設定方法は特に限定されないが、例えば、表示部３０に表示されているＰＣ側チューナが受信した放送の映像に対してマウス等の入力装置で選択操作が行われた場合に、ＰＣ側連携制御部１４がテレビモードへの切り換え指示があったと判断するようにすればよい。また、例えばテレビモードへの切り換えを行うための予め定めた入力操作が行われた場合（例えば所定の切り換えボタンが押下された場合）にテレビモードへの切り換え指示があったと判断するようにしてもよい。
【００８１】
さらに、ＰＣ側連携制御部１４が、ＰＣ側チューナが受信している番組の内容に基づいてテレビモードへの切り換えを行うようにしてもよい。例えば、ＰＣ側連携制御部１４が、ＰＣ側チューナが受信している番組が緊急放送であると判断した場合に、テレビモードに切り換えるようにしてもよい。これにより、緊急放送が表示部３０の全面に表示されることになるので、ユーザは緊急放送を見逃してしまうことがなくなる。
【００８２】
また、一般に、番組の内容が盛り上がるシーン（例えばスポーツ番組の得点シーン等）では、番組の音量が大きくなる。そこで、例えば、ＰＣ側連携制御部１４が、ＰＣ側チューナが受信している番組の音量が所定値を越えた場合にテレビモードに切り換えるようにしてもよい。これにより、ユーザは、番組の内容が盛り上がるシーンをテレビモードでじっくりと視聴することができる。
【００８３】
ここで、ＰＣ−テレビ連携処理の前後において表示部３０に表示される映像の遷移について図４に基づいて説明する。同図（ａ）はＰＣ−テレビ連携処理前に表示部３０に表示される映像の一例を示す図であり、同図（ｂ）はＰＣ−テレビ連携処理後に表示部３０に表示される映像の一例を示す図であり、同図（ｃ）はＰＣ−テレビ連携処理の前後におけるＰＣ１１及びテレビ２１の主な動作を示す図である。上述のように、ＰＣ−テレビ連携処理は、テレビモードへの切り換え指示があった場合、またはＰＣ１１が起動停止あるいは休止した場合に実行されるが、ここではＰＣ１１の起動停止時にＰＣ−テレビ連携処理が行われる例について説明する。
【００８４】
同図（ａ）に示すように、ＰＣ−テレビ連携処理の前、すなわちＰＣモードでは表示部３０には、ウインドウＷａ及びＷｂが表示されている。ウインドウＷａは、ＰＣ１１がプログラムを実行することより表示されるものであり、図示の例ではウェブページが表示されている。また、ウインドウＷｂには、ワンセグチューナ１６が受信したワンセグ放送が表示されている。ここでは、番組Ａのワンセグ放送がワンセグチューナ１６によって受信されていることを想定しており、そのためＰＣモードでは図示のように番組Ａのワンセグ放送がウインドウＷｂに表示される。
【００８５】
このときには、同図（ｃ）に示すように、ＰＣ１１は、ＰＣ画面（ウインドウＷａ）の映像信号を出力すると共に、ワンセグ子画面（ウインドウＷｂ）の映像信号を出力している。そして、テレビ２１は、ＰＣ１１から受信した上記映像信号を出力している。これにより、同図（ａ）に示すような映像が表示部３０に表示されることになる。
【００８６】
ここで、ＰＣ側連携制御部１４は、ＰＣ１１が起動停止することを確認すると、ＰＣ−テレビ連携処理を実行する。ＰＣ−テレビ連携処理が実行されると、同図（ｂ）に示すように番組Ａの映像が表示部３０に表示される。このときには、同図（ｃ）に示すように、ＰＣ１１は映像信号の出力を行っておらず、テレビ２１はテレビ側チューナ（デジタルチューナ２６またはアナログチューナ２７）が受信した映像信号を出力している。すなわち、同図（ａ）ではＰＣ１１のワンセグチューナ１６で受信した番組Ａが表示されていたのに対し、同図（ｂ）ではテレビ側チューナで受信した番組Ａが表示されている。
【００８７】
このように、映像表示システム１では、ＰＣ１１の起動停止時にＰＣ−テレビ連携処理が実行される。そして、ＰＣ−テレビ連携処理では、表示部３０に表示される番組がＰＣモードからテレビモードへの切り換わるが、切り換え後に表示される番組は切り換え前と同じである。すなわち、映像表示システム１では、ユーザがＰＣ１１をシャットダウンしたときに、ＰＣモードからテレビモードへの切り換えが自動的に行われると共に、ＰＣモードにて視聴していた番組と同じ番組がテレビモードにて出力される。
【００８８】
テレビモードに設定されると（Ｓ６）、表示部３０は、テレビ２１の表示装置として機能する。すなわち、この場合には、表示部３０にはテレビ側チューナが出力する映像が表示される。具体的には、表示部３０にはデジタルチューナ２６から出力されるデジタル放送の映像、またはアナログチューナ２７から出力されるアナログ放送の映像等が表示される。テレビモードでは、ユーザは、例えばリモコン等の入力装置を用いてテレビ２１が受信するチャンネルの切り換えを行うことができる。
【００８９】
ここで、テレビモードにおいてチャンネル切り換えを行ったときに表示部３０に表示される映像の遷移について図５に基づいて説明する。同図（ａ）はチャンネル切り換え前に表示部３０に表示される映像の一例を示す図であり、同図（ｂ）はチャンネル切り換え後に表示部３０に表示される映像の一例を示す図であり、同図（ｃ）はチャンネル切り換えの前後におけるＰＣ１１及びテレビ２１の主な動作を示す図である。
【００９０】
同図（ａ）に示すように、チャンネル切り換え前の表示部３０には、番組Ａが表示されている。この番組Ａは、テレビ側チューナが受信した番組である。そして、同図（ｂ）に示すように、チャンネル切り換え後の表示部３０には、番組Ｂが表示されている。すなわち、ここでは、番組Ｂへとチャンネルが切り換えられたことを想定している。
【００９１】
同図（ｃ）に示すように、ＰＣ１１は、チャンネル切り換えの前後を通して映像信号を出力していない。一方、テレビ２１は、チャンネル切り換え前には番組Ａの映像信号を出力しており、チャンネル切り換え後には番組Ｂの映像信号を出力している。これにより、同図（ａ）（ｂ）に示すような映像が表示部３０に表示されることになる。このように、テレビモードにおけるチャンネル切り換えには、ＰＣ１１は関与しておらず、テレビ２１内の処理によって表示部３０に表示される映像が切り換わるようになっている。
【００９２】
このようにテレビモードでは、表示部３０にはテレビ側チューナが出力する映像が表示され、ＰＣ１１からテレビ２１にはデータが供給されていない。したがって、テレビモードでは、ＰＣ１１は起動していてもよいし、起動していなくともよい。ＰＣ１１が起動していない、あるいは休止状態にある間は、テレビモードが継続する。
【００９３】
ここで、テレビモードにおいて、ＰＣ１１が起動している場合には、ＰＣ側連携制御部１４は、ＰＣモードへの切り換え指示の有無を確認する（Ｓ７）。ＰＣ側連携制御部１４は、ＰＣ１１の起動中は常にＰＣモードへの切り換え指示の有無を監視し、切り換え指示を確認したとき（Ｓ７でＹｅｓ）には、テレビ−ＰＣ連携処理を行う（Ｓ９）。
【００９４】
ＰＣモードへの切り換え指示としては、例えばＰＣ側連携制御部１４が、マウスやキーボード等の入力装置に対して所定の入力操作が行われたことを検知した場合に、ＰＣモードへの切り換え指示があったと判断するようにすればよい。このように、ユーザがＰＣ１１の使用に関連する入力操作を行ったときにＰＣモードに設定されるようにすることで、ユーザはスムーズにＰＣモードへの切り換えを行うことができる。また、例えばＰＣ側連携制御部１４は、ＰＣモードへの切り換えを行うための予め定めた入力操作が行われたことを確認した場合（例えばモード切り換えボタンが押下された場合）に、ＰＣモードへの切り換え指示があったと判断するようにしてもよい。
【００９５】
なお、ＰＣモードからテレビモードへの切り換え及びテレビモードからＰＣモードへの切り換えを行うためのモード切り換えボタンは、ＰＣ１１の本体表面や、ＰＣ１１及び／またはテレビ２１を操作するためのリモコン（リモートコントローラ）などに設けておけばよい。
【００９６】
テレビ−ＰＣ連携処理により、テレビモードからＰＣモードへの切り換えが行われ、ＰＣ１１が出力するデータが表示部３０に出力されるようになる。すなわち、テレビ−ＰＣ連携処理によって映像出力システム１は、ＰＣモード（Ｓ２）に移行する。また、詳細については後述するが、映像出力システム１では、テレビ−ＰＣ連携処理によって、テレビモードにて視聴していた番組と同じ内容を含む番組がＰＣモードにおいても表示される。これにより、ユーザは、ＰＣモードに移行後もテレビモードにて視聴していた番組を引き続き視聴することが可能になる。
【００９７】
一方、テレビモードにおいて、ＰＣ１１が起動していない、あるいは起動していても休止状態となっている場合には、Ｓ７の処理は行われない。この場合に、ＰＣ１１が起動されるか、あるいは休止から復帰したとき（Ｓ８でＹｅｓ）には、ＰＣ１１の起動開始時にＰＣ側連携制御部１４も動作を開始する。そして、ＰＣ側連携制御部１４がテレビ−ＰＣ連携処理を実行することによりＰＣモードへの移行が行われる（Ｓ９）。すなわち、ＰＣモードへの切り換えは、ＰＣの起動またはＰＣモードへの切り換え指示をトリガとして実行される。
【００９８】
テレビ−ＰＣ連携処理の前後において表示部３０に表示される映像の遷移について図６に基づいて説明する。同図（ａ）はテレビ−ＰＣ連携処理前に表示部３０に表示される映像の一例を示す図であり、同図（ｂ）はテレビ−ＰＣ連携処理後に表示部３０に表示される映像の一例を示す図であり、同図（ｃ）はテレビ−ＰＣ連携処理の前後におけるＰＣ１１及びテレビ２１の主な動作を示す図である。なお、ここでは、ＰＣ１１が起動したことによってテレビ−ＰＣ連携処理が実行された場合の映像の遷移例について説明する。
【００９９】
同図（ａ）に示すように、テレビ−ＰＣ連携処理前の表示部３０には、テレビ側チューナが出力する番組Ｂの映像が表示されている。ここで、テレビ−ＰＣ連携処理が実行された後には、同図（ｂ）に示すようにウインドウＷａ及びＷｂが表示されている。また、図示のように、ウインドウＷａにはウェブページの画面が表示されており、ウインドウＷｂには番組Ｂの映像が表示されている。
【０１００】
これは、同図（ｃ）に示すように、ＰＣ１１が起動することによって、ＰＣ側チューナが起動されると共に、ＰＣ１１が生成するデータがテレビ２１に供給されることによる。なお、同図（ｂ）では、ＰＣ１１がブラウザを起動してウェブページの画面がウインドウＷａに表示されている例を示しているが、ＰＣ１１がテレビ２１に供給するデータは特に限定されず、どのようなものであってもよい。
【０１０１】
すなわち、同図（ｃ）に示すように、同図（ａ）の映像が表示部３０に表示されているときには、ＰＣ１１は起動停止、あるいは休止状態であり、映像信号の出力を行っておらず、テレビ２１はテレビ側チューナが受信した番組Ｂの映像信号を出力している。
【０１０２】
そして、ＰＣ１１が起動または休止状態から復帰することにより、ＰＣ側チューナが起動して、ＰＣ側チューナが受信した番組Ｂ（ワンセグ放送）がテレビ２１へと出力される。ここで、同図（ｂ）の状態では、テレビ２１が、ＰＣ１１から受信した上記映像信号を出力しているので、ウインドウＷｂにＰＣ側チューナが受信した番組Ｂ（ワンセグ放送）が表示される。
【０１０３】
このように、映像表示システム１では、ＰＣ１１の起動または休止復帰時に自動的にテレビ−ＰＣ連携処理が実行されて、テレビモードからＰＣモードへの切り換えが行われる。そして、ＰＣモードでは、表示部３０にはテレビモードで表示していた番組と同じ番組が表示される。したがって、ユーザは、ＰＣ１１の起動または休止復帰以外の特別な操作を行うことなく、映像表示システム１をＰＣモードに移行させることができると共に、テレビモードで視聴していた番組を引き続き視聴することができる。
【０１０４】
テレビ−ＰＣ連携処理が終了すると、処理はＳ２に戻って映像表示システム１は再度ＰＣモードに移行する。ここで、ＰＣモードにおいてチャンネル切り換えが行われた場合に表示部３０に表示される映像の遷移について図７に基づいて説明する。同図（ａ）はチャンネル切り換え前に表示部３０に表示される映像の一例を示す図であり、同図（ｂ）はチャンネル切り換え後に表示部３０に表示される映像の一例を示す図であり、同図（ｃ）はチャンネル切り換えの前後におけるＰＣ１１及びテレビ２１の主な動作を示す図である。
【０１０５】
同図（ａ）に示すように、チャンネル切り換え前の表示部３０には、ウインドウＷａ及びＷｂが表示されており、ウインドウＷｂには番組Ｂが表示されている。この番組Ｂは、ＰＣ側チューナで受信した番組である。
【０１０６】
そして、同図（ｂ）に示すように、チャンネル切り換え後の表示部３０には、ウインドウＷａ及びＷｂが表示されており、ウインドウＷｂには番組Ｃが表示されている。すなわち、ここでは、番組Ｃへとチャンネルが切り換えられたことを想定している。なお、ＰＣモードにおけるチャンネルの切り換えは、マウスやキーボードなどのＰＣ１１の入力装置に所定の入力操作があった場合に実行されることを想定している。
【０１０７】
このときには、同図（ｃ）に示すように、テレビ２１は、テレビ側チューナからの映像信号を出力しておらず、ＰＣ１１から受信した映像信号を出力している。そして、ＰＣ１１は、チャンネル切り換え前にはＰＣ画面及び番組Ｂの子画面の映像信号を出力しており、チャンネル切り換え後にはＰＣ画面及び番組Ｃの子画面の映像信号を出力している。これにより、同図（ａ）（ｂ）に示すような映像が表示部３０に表示されることになる。このように、ＰＣモードにおけるチャンネル切り換え時には、テレビ側チューナは関与しておらず、ＰＣ１１内の処理によって表示部３０に表示される映像が切り換わるようになっている。
【０１０８】
〔ＰＣ−テレビ連携処理〕
続いて、図２のフローチャートにおけるＰＣ−テレビ連携処理の流れについて、図８に基づいて説明する。図８は、ＰＣ−テレビ連携処理の一例を示すフローチャートである。ここでは、まずＰＣ１１側の処理の流れについて説明する。上述のように、ＰＣ−テレビ連携処理は、ＰＣ側連携制御部１４がテレビモードへの切り換え指示を確認した場合、またはＰＣ１１が起動停止あるいは休止する場合、すなわちＰＣ１１が動作を停止する場合に実行される。
【０１０９】
切り換え指示、またはＰＣ１１が起動停止（休止）することを確認したＰＣ側連携制御部１４は、ＰＣ側通信Ｉ／Ｆ１５を介してテレビ２１に、テレビ２１の出力をテレビモードに切り換えさせる制御信号であるテレビモード切換信号を送信する（Ｓ１１）。なお、ここでは、ＰＣ１１が起動停止（休止）する場合に、主制御部１２からＰＣ側連携制御部１４にＰＣ１１が起動停止（休止）することを示す信号が送信されることを想定している。また、ＰＣ側連携制御部１４は、表示出力Ｉ／Ｆ１８からの映像信号、すなわちＰＣ出力データの出力を停止させる（Ｓ１２）。
【０１１０】
次に、ＰＣ側連携制御部１４は、ＰＣ側チューナ、すなわちワンセグチューナ１６のチャンネル情報を取得し（Ｓ１３）、ＰＣ側通信Ｉ／Ｆ１５を介してテレビ２１にＰＣ側チャンネルコードを送信する（Ｓ１４）。そして、ＰＣ側連携制御部１４は、ワンセグチューナ１６に停止指示を送り、これによりワンセグチューナ１６は、放送の受信を停止する（Ｓ１５）。
【０１１１】
ここで、上記チャンネル情報及びＰＣ側チャンネルコードについて説明する。チャンネル情報とは、ＰＣ側チューナが受信中のチャンネルを示す情報である。チャンネル情報は、補助記憶部１３に格納されており、チャンネルを切り換えるたびにチャンネル情報は更新される。これにより、補助記憶部１３には、常にＰＣ側チューナが受信中のチャンネルを示すチャンネル情報が格納されることになる。なお、ＰＣ側連携制御部１４がチャンネル情報を読み出すことができるようになっていれば、チャンネル情報は、どこに格納されていてもよい。例えば、ＰＣ側チューナに記憶部を設け、ＰＣ側チューナがチャンネル情報を格納及び更新するようにしてもよい。
【０１１２】
ＰＣ側チャンネルコードは、ＰＣ側チューナが受信中のチャンネルを示すコードであり、テレビ側チューナにＰＣ側チューナが受信中のチャンネルを受信させるための情報である。ここで、ＰＣ側チューナとテレビ側チューナとで、同じ番組を受信するためのチャンネルが異なっている場合がある。例えば、ワンセグ放送の番組Ａを受信するためのチャンネルと、地上デジタル放送の番組Ａを受信するチャンネルとは異なっている場合がある。
【０１１３】
このような場合には、ＰＣ側連携制御部１４は、ＰＣ側チューナのチャンネルとテレビ側チューナのチャンネルとの対応関係を示すチャンネル対応情報に基づいて、ＰＣ側チューナが受信中のチャンネルに対応するテレビ側のチャンネルを決定する。そして、ＰＣ側連携制御部１４は、上記決定したチャンネルをＰＣ側チャンネルコードとしてＰＣ側通信Ｉ／Ｆ１５を介してテレビ２１へと送信する。
【０１１４】
なお、ＰＣ側チューナが受信する放送波とテレビ側チューナが受信する放送波とは、互いに異なる。したがって、ＰＣ側チューナが受信する番組とテレビ側チューナが受信する番組とは同じ、あるいは関連した内容を含むものであればよく、完全に同じである必要はない。例えば、ワンセグ放送の番組と地上デジタル放送の番組とは互いに対応しているので、対応する番組を受信するようにすればよい。また、例えば、ユーザが、ある放送局が放送するスポーツ中継を視聴している場合に、切り換え後に出力される番組は、上記と同じスポーツ中継を放送している番組であればよく、必ずしも上記と同じ放送局が放送する番組でなくてもよい。
【０１１５】
また、上記チャンネル対応情報は、ＰＣ側連携制御部１４が参照できるようになっていればよい。例えば、補助記憶部１３にチャンネル対応情報をテーブルデータとして格納しておいてもよい。そして、チャンネル対応情報がＰＣ側チューナの受信した放送波に含まれている場合には、ＰＣ側連携制御部１４が放送波（ＰＣ側チューナが出力するデータ）からチャンネル対応情報を読み出すようにしてもよい。
【０１１６】
さらに、上記のようなチャンネル対応情報を用いずに、チャンネル情報からＰＣ側チャンネルコードを決定することもできる。例えば、ＰＣ側チューナとテレビ側チューナとで、同じ番組が同じチャンネルで受信できる場合には、ＰＣ側連携制御部１４は、チャンネル情報をそのままＰＣ側チャンネルコードとしてテレビ２１に送信すればよく、チャンネル対応情報を用いる必要はない。また、チャンネル情報がＰＣ側チューナの受信中の番組を示す番組コードや、受信中の放送局を示す放送局コードである場合にも、ＰＣ側連携制御部１４は、チャンネル情報をそのままＰＣ側チャンネルコードとしてテレビ２１に送信すればよい。
【０１１７】
次に、テレビ側の処理の流れについて説明する。ＰＣ側連携制御部１４がＰＣ側通信Ｉ／Ｆ１５を介して送信したテレビモード切換信号は、テレビ側通信Ｉ／Ｆ２２を介してテレビ側連携制御部２４に送られる。テレビ側連携制御部２４は、テレビモード切換信号を受信すると（Ｓ２１）、出力切換部２８に指示して表示部３０への出力をテレビ側チューナに設定させる（Ｓ２２）と共に、テレビ側チューナ（デジタルチューナ２６またはアナログチューナ２７）を起動させる（Ｓ２３）。
【０１１８】
ここで、ＰＣ側の処理のＳ１４にてＰＣ側通信Ｉ／Ｆ１５を介してテレビ２１へとチャンネルコード（ＰＣ側チャンネルコード）が送信される。そして、送信されたＰＣ側チャンネルコードはテレビ側通信Ｉ／Ｆ２２を介してテレビ側連携制御部２４に受信される。テレビ側連携制御部２４は、ＰＣ側チャンネルコードを受信すると（Ｓ２４）、受信したＰＣ側チャンネルコードに基づいてチャンネル設定を行う（Ｓ２５）。具体的には、テレビ側連携制御部２４は、ＰＣ側チャンネルコードが示す番組をテレビ側チューナに受信させる。
【０１１９】
これにより、テレビ側チューナが受信した番組が映像信号として出力切換部２８に送られる。ここで、出力切換部２８は、上記Ｓ２２で表示部３０への出力をテレビ側チューナに設定している。したがって、上記映像信号は、出力切換部２８を通過して画像処理制御部２９で所定の画像処理を施された後、表示部３０に出力されることになる（Ｓ２６）。
【０１２０】
なお、出力切換部２８への出力切り換え指示は、Ｓ２１以後かつＳ２６以前であればＰＣ−テレビ連携処理のどのタイミングで行ってもよい。ここで、図８のフローチャートでは、出力がテレビ２１に設定されるＳ２２から、テレビ側チューナからの映像が出力されるＳ２６までの間には、表示部３０に映像が出力されない。そこで、ＰＣ側連携制御部１４は、例えば、映像信号出力を停止するＳ１２を、ＰＣ側チューナの停止を行うＳ１５の後に行うようにすればよい。そして、テレビ側連携制御部２４は、Ｓ２６でテレビ側チューナからの映像が出力される直前に出力切換部２８への出力切り換え指示を行うようにすればよい。これにより、表示部３０に映像が出力されない時間を短縮、あるいはゼロにすることができる。
【０１２１】
また、図８のフローチャートにおいて、テレビモード切換信号を送信するステップ（Ｓ１１）は、省略することができる。これは、テレビ側連携制御部２４は、ＰＣ側チャンネルコードの受信を確認した場合には、テレビモードへの切り換えを行う必要があると判断することができるためである。
【０１２２】
すなわち、ＰＣ側連携制御部１４は、ＰＣ−テレビ連携処理を行う場合に、まずＰＣ側チューナのチャンネル情報を取得し（Ｓ１３）、テレビ２１にＰＣ側チャンネルコード（番組切換情報）を送信するようにすればよい（Ｓ１４）。そして、テレビ側連携制御部２４は、ＰＣ側チャンネルコードを受信したとき（Ｓ２４）に、テレビ側チューナを起動して（Ｓ２２）チャンネル設定を行い（Ｓ２５）、出力をテレビ２１に設定して（Ｓ２２）テレビ側チューナからの映像を出力する（Ｓ２６）ようにすればよい。この構成によれば、テレビモード切換信号を送信するステップした場合であっても、テレビ側連携制御部２４は、テレビモードへの切り換えを行うことができる。
【０１２３】
〔テレビ−ＰＣ連携処理〕
続いて、図２のフローチャートにおけるテレビ−ＰＣ連携処理の流れについて、図９に基づいて説明する。図９は、テレビ−ＰＣ連携処理の一例を示すフローチャートである。ここでは、まずＰＣ側の処理の流れについて説明する。上述のように、テレビ−ＰＣ連携処理は、ＰＣ側連携制御部１４がＰＣモードへの切り換え指示を確認した場合、またはＰＣ１１が起動あるいは休止復帰した場合に実行される。
【０１２４】
切り換え指示を確認した場合、あるいはＰＣ１１が起動あるいは休止復帰した場合に、ＰＣ側連携制御部１４は、ＰＣ側通信Ｉ／Ｆ１５を介してテレビ２１にＰＣモード切換信号を送信する（Ｓ３１）。また、ＰＣ側連携制御部１４は、ＰＣ側チューナ、すなわちワンセグチューナ１６を起動させる（Ｓ３２）。
【０１２５】
次に、ＰＣ側連携制御部１４は、ＰＣ側通信Ｉ／Ｆ１５を介してテレビ２１にチャンネル要求信号を送信する（Ｓ３３）。なお、チャンネル要求信号とは、テレビ２１で視聴中の番組のチャンネルをＰＣ１１に送信するように要求する信号である。チャンネル要求信号を送信すると、テレビ２１からテレビ側通信Ｉ／Ｆ２２及びＰＣ側通信Ｉ／Ｆ１５を介してテレビ２１で視聴中の番組のチャンネルを示すテレビ側チャンネルコード（受信番組情報）が返送される。
【０１２６】
ＰＣ側連携制御部１４は、チャンネルコード（テレビ側チャンネルコード）を受信する（Ｓ３４）と、受信したテレビ側チャンネルコードに基づいてチャンネル設定を行う（Ｓ３５）。具体的には、ＰＣ側連携制御部１４は、テレビ側チャンネルコードが示す番組をＰＣ側チューナに受信させる。これにより、ＰＣ側チューナが受信した番組は、映像信号として画像出力制御部１７に送られて所定の処理を施された後、表示出力Ｉ／Ｆ１８を介してテレビ２１へと送られる（Ｓ３６）。
【０１２７】
次に、テレビ側の処理の流れについて説明する。ＰＣ側連携制御部１４がＰＣ側通信Ｉ／Ｆ１５を介してテレビ２１に送信したＰＣモード切換信号は、テレビ側通信Ｉ／Ｆ２２を介してテレビ側連携制御部２４に受信される。テレビ側連携制御部２４は、ＰＣモード切換信号を受信すると（Ｓ４１）、出力切換部２８に指示して表示部３０への出力をＰＣ入力Ｉ／Ｆ２３に設定させる（Ｓ４２）。また、テレビ側連携制御部２４は、テレビ側チューナを停止させる（Ｓ４３）。
【０１２８】
ここで、ＰＣ側の処理のＳ３３にてＰＣ側通信Ｉ／Ｆ１５を介してテレビ２１にチャンネル要求信号が送信されるので、上記送信されたチャンネル要求信号はテレビ側通信Ｉ／Ｆ２２を介してテレビ側連携制御部２４に受信される。テレビ側連携制御部２４は、チャンネル要求信号を受信すると（Ｓ４４）、記憶部２５のチャンネルメモリからテレビ側チャンネルコードを読み出し、読み出したテレビ側チャンネルコードをテレビ側通信Ｉ／Ｆ２２を介してＰＣ１１に送信する（Ｓ４５）。
【０１２９】
なお、テレビ側チャンネルコードは、テレビ側チューナが受信中のチャンネルを示すコードであり、記憶部２５のチャンネルメモリに格納されている。ここで、上述のように、ＰＣ側チューナとテレビ側チューナとで、同じ番組を受信するためのチャンネルが異なっている場合がある。
【０１３０】
このような場合には、ＰＣ側連携制御部１４は、ＰＣ側チューナとテレビ側チューナとのチャンネルの対応関係を示すチャンネル対応情報に基づいて、受信したテレビ側チャンネルコードに対応するＰＣ側のチャンネルを決定する。
【０１３１】
なお、ＰＣ側チューナとテレビ側チューナとで同じ番組が同じチャンネルで受信できる場合や、テレビ側チャンネルコードがテレビ側チューナの受信中の番組を示す番組コードや、受信中の放送局を示す放送局コードである場合には、ＰＣ側連携制御部１４は、受信したテレビ側チャンネルコードに従ってＰＣ側チューナの受信チャンネルを決定すればよく、チャンネル対応情報を用いる必要はない。
【０１３２】
そして、上述のように、Ｓ４５で送信したテレビ側チャンネルコードに基づいてＰＣ１１のチャンネル設定が行われ（Ｓ３５）、チャンネル設定後の番組を含む映像信号が表示出力Ｉ／Ｆ１８を介してテレビ２１へと送られる（Ｓ３６）。この映像信号は、ＰＣ入力Ｉ／Ｆ２３を介して出力切換部２８に送られる。ここで、出力切換部２８は、上記Ｓ４２で表示部３０への出力をＰＣ入力Ｉ／Ｆ２３に設定している。したがって、上記映像信号は、出力切換部２８を通過して画像処理制御部２９で所定の画像処理を施された後、表示部３０に出力されることになる（Ｓ４６）。
【０１３３】
なお、上述の処理の流れは一例であり、必要に応じて適宜変更することができる。例えば、最初にチャンネル要求信号を送信（Ｓ３３）し、テレビ側チャンネルコードを受信（Ｓ３４）した後に、ＰＣ側チューナを起動（Ｓ３２）し、続いてチャンネル設定を行う（Ｓ３５）ようにしてもよい。そして、その後にＰＣモード切換信号を送信する（Ｓ３１）ことにより、テレビ２１にてＰＣモードに切り換えが行われるときには、ＰＣ側チューナにて番組の受信が開始されていることになるので、表示部３０に映像が出力されない時間を短縮、あるいはゼロにすることができる。
【０１３４】
〔参考例〕
上記実施形態では、ＰＣ側連携制御部１４の主導でＰＣ−テレビ連携処理及びテレビ−ＰＣ連携処理を行う例を示した。具体的には、ＰＣ側連携制御部１４がテレビモード切換信号、ＰＣモード切換信号、及びチャンネル要求信号等を送信することによって、上記処理が実行される態様を示した。しかしながら、ＰＣ−テレビ連携処理及びテレビ−ＰＣ連携処理は、テレビ側連携制御部２４の主導で上記処理を行うようにしてもよい。以下では、テレビ側連携制御部２４の主導で上記処理を行う例について図１０及び図１１に基づいて説明する。なお、上記実施形態と同様の処理及び構成については同一の参照符号を付してその説明を省略する。
【０１３５】
本参考例の映像表示システムは、上記実施形態と同様の構成を備えている。また、本参考例の映像表示システムにおける映像表示処理は、図２のフローチャートに示す処理の流れと同様である。そこで、以下では、上記実施形態と本参考例との相違点である、ＰＣ側連携制御部１４及びテレビ側連携制御部２４の動作、ＰＣ−テレビ連携処理及びテレビ−ＰＣ連携処理について説明する。
【０１３６】
〔ＰＣ−テレビ連携処理〕
図１０は、本参考例のＰＣ−テレビ連携処理の一例を示すフローチャートである。ここでは、まずＰＣ側の処理の流れについて説明する。なお、上記実施形態と異なり、本参考例のＰＣ−テレビ連携処理は、テレビ側連携制御部２４がテレビモードへの切り換え指示を確認した場合、またはＰＣ１１が起動停止（休止）することを確認した場合に実行される。ここでは、まずテレビ側連携制御部２４がテレビモードへの切り換え指示を確認した場合の処理の流れについて説明し、次にＰＣ１１が起動停止（休止）した場合の処理の流れについて説明する。
【０１３７】
テレビ側連携制御部２４は、テレビモードへの切り換え指示を確認すると、テレビモードへの切り換えを伝えるテレビモード切換信号をテレビ側通信Ｉ／Ｆ２２を介してＰＣ１１に送信する。そして、ＰＣ側連携制御部１４は、上記テレビモード切換信号をＰＣ側通信Ｉ／Ｆ１５を介して受信する（Ｓ５１）。テレビモード切換信号を受信したＰＣ側連携制御部１４は、表示出力Ｉ／Ｆ１８に指示して映像信号の出力を停止させる（Ｓ１２）。
【０１３８】
ここで、テレビ側の処理のＳ６３にてテレビ側通信Ｉ／Ｆ２２を介してチャンネル要求信号が送信される（後述）ので、上記送信されたチャンネル要求信号はＰＣ側通信Ｉ／Ｆ１５を介してＰＣ側連携制御部１４に受信される。ＰＣ側連携制御部１４は、チャンネル要求信号を受信すると（Ｓ５２）、補助記憶部１３からＰＣ側チューナのチャンネル情報を取得し（Ｓ１３）、ＰＣ側チューナで受信中の番組を示すＰＣ側チャンネルコードをＰＣ側通信Ｉ／Ｆ１５を介してテレビ２１に送信する（Ｓ１４）。そして、ＰＣ側連携制御部１４は、ＰＣ側チューナに停止指示を送り、これによりＰＣ側チューナはワンセグ放送の受信を停止する（Ｓ１５）。
【０１３９】
次に、テレビ側の処理の流れについて説明する。テレビモードへの切り換え指示を確認したテレビ側連携制御部２４は、テレビ側通信Ｉ／Ｆ２２を介してテレビモード切換信号を送信する（Ｓ６１）と共に、テレビ側チューナを起動させる（Ｓ２３）。また、テレビ側連携制御部２４は、出力切換部２８に指示して表示部３０への出力をテレビ側チューナに設定させる。そして、テレビ側連携制御部２４は、チャンネル要求信号をテレビ側通信Ｉ／Ｆ２２を介してＰＣ１１へと送信する（Ｓ６２）。
【０１４０】
ここで、ＰＣ側の処理のＳ１４にてＰＣ側通信Ｉ／Ｆ１５を介してＰＣ側チャンネルコードがテレビ２１へと送信される。そして、上記送信されたＰＣ側チャンネルコードはテレビ側通信Ｉ／Ｆ２２を介してテレビ側連携制御部２４に受信される。テレビ側連携制御部２４は、ＰＣ側チャンネルコードを受信すると（Ｓ２４）、受信したＰＣ側チャンネルコードに基づいてチャンネル設定を行う（Ｓ２５）。
【０１４１】
これにより、テレビ側チューナが受信した番組が映像信号として出力切換部２８に送られる。ここで、上記Ｓ６１で出力切換部２８から表示部３０への出力をテレビ側チューナに設定している。したがって、上記映像信号は、出力切換部２８を通過して画像処理制御部２９で所定の画像処理を施された後、表示部３０に出力されることになる（Ｓ２６）。
【０１４２】
次に、ＰＣ１１が起動停止（休止）した場合の処理の流れについて説明する。ＰＣ側連携制御部１４は、ＰＣ１１が起動停止あるいは休止する場合に、ＰＣ１１が起動停止あるいは休止することを示すＰＣ起動停止信号をＰＣ側通信Ｉ／Ｆ１５を介してテレビ２１へと送信する。なお、ＰＣ起動停止信号を送信した段階ではＰＣ１１は起動停止及び起動休止しない。
【０１４３】
上記送信されたＰＣ起動停止信号は、テレビ側通信Ｉ／Ｆ２２を介してテレビ側連携制御部２４に受信される。テレビ側連携制御部２４は、ＰＣ起動停止信号を受信すると、テレビ側チューナを起動し、ＰＣ１１にチャンネル要求信号を送信する。ＰＣ側連携制御部１４は、チャンネル要求信号を受信すると、補助記憶部１３からＰＣ側チューナのチャンネル情報を取得してＰＣ側チャンネルコードをテレビ２１に送信する。
【０１４４】
ＰＣ側連携制御部１４は、ＰＣ側チャンネルコードを送信した後、主制御部１２にＰＣ−テレビ連携処理におけるＰＣ１１の処理が終了したことを示す連携処理終了信号を送信する。これにより、主制御部１２は、ＰＣ１１の起動停止または休止処理を開始し、ＰＣ１１は起動停止または休止状態となる。
【０１４５】
一方、テレビ側連携制御部２４は、ＰＣ側チャンネルコードを受信すると、受信したＰＣ側チャンネルコードに基づいてチャンネル設定を行うと共に、出力切換部２８に指示して表示部３０への出力をテレビ側チューナに設定させる。これにより、テレビ側チューナが受信した番組が表示部３０に出力されるようになる。
【０１４６】
〔テレビ−ＰＣ連携処理〕
図１１は、本参考例のテレビ−ＰＣ連携処理の一例を示すフローチャートである。ここでは、まずＰＣ側の処理の流れについて説明する。なお、上記実施形態と異なり、本参考例のテレビ−ＰＣ連携処理は、テレビ側連携制御部２４がＰＣモードへの切り換え指示を確認した場合、またはＰＣ１１が起動あるいは休止復帰した場合に実行される。すなわち、本参考例の映像表示システムでは、テレビモードからＰＣモードへの切り換え、及びＰＣモードからテレビモードへの切り換えの有無は、何れもテレビ側連携制御部２４が判断する。
【０１４７】
テレビ側連携制御部２４は、ＰＣモードへの切り換え指示を確認、またはＰＣ１１の起動あるいは休止復帰を確認すると、ＰＣモードへの切り換えを伝えるＰＣモード切換信号をテレビ側通信Ｉ／Ｆ２２を介してＰＣ１１に送信する。そして、ＰＣ側連携制御部１４は、上記テレビモード切換信号をＰＣ側通信Ｉ／Ｆ１５を介して受信する（Ｓ７１）。
【０１４８】
なお、ＰＣ１１の起動あるいは休止復帰の確認方法としては、例えばＰＣ１１が起動したときに、ＰＣ１１が起動あるいは休止復帰したことを示すＰＣ起動信号をＰＣ１１からテレビ２１に送信するようにすればよい。この場合には、テレビ側連携制御部２４は、ＰＣ起動信号の受信によってＰＣ１１の起動あるいは休止復帰を確認することができる。また、ＰＣ１１が起動すると、ＰＣ１１が出力する映像信号等が表示出力Ｉ／Ｆ１８を介してテレビ２１のＰＣ入力Ｉ／Ｆ２３に送られる。そこで、テレビ側連携制御部２４は、例えばＰＣ入力Ｉ／Ｆ２３の映像信号等の受信によって、ＰＣ１１の起動あるいは休止復帰を確認するようにしてもよい。
【０１４９】
ＰＣモード切換信号を受信したＰＣ側連携制御部１４は、ＰＣ側チューナを起動させる（Ｓ３２）。続いて、テレビ側の処理のＳ４５（後述）にてテレビ側通信Ｉ／Ｆ２２を介してＰＣ１１へとテレビ側チャンネルコードが送信される。そして、上記送信されたテレビ側チャンネルコードはＰＣ側通信Ｉ／Ｆ１５を介してＰＣ側連携制御部１４に受信される（Ｓ３４）。
【０１５０】
ＰＣ側連携制御部１４は、テレビ側チャンネルコードを受信すると、受信したテレビ側チャンネルコードに基づいてチャンネル設定を行う（Ｓ３５）。そして、ＰＣ側チューナが受信した番組は、映像信号として画像出力制御部１７に送られて所定の処理を施された後、表示出力Ｉ／Ｆ１８を介してテレビ２１へと送られる（Ｓ３６）。
【０１５１】
次に、テレビ側の処理の流れについて説明する。テレビ側連携制御部２４は、ＰＣモードへの切り換え指示、またはＰＣ１１の起動あるいは休止復帰を確認すると、ＰＣモードへの切り換えを伝えるＰＣモード切換信号をテレビ側通信Ｉ／Ｆ２２を介してＰＣ１１に送信する（Ｓ８１）と共に、出力切換部２８に指示して表示部３０への出力をＰＣ入力Ｉ／Ｆ２３に設定させる。また、テレビ側連携制御部２４は、テレビ側チューナを停止させる（Ｓ４３）。
【０１５２】
そして、テレビ側連携制御部２４は、記憶部２５のチャンネルメモリからテレビ側チャンネルコードを読み出し、読み出したテレビ側チャンネルコードをテレビ側通信Ｉ／Ｆ２２を介してＰＣ１１に送信する（Ｓ４５）。
【０１５３】
これにより、ＰＣ側チューナが受信した番組を含む映像信号が表示出力Ｉ／Ｆ１８及びＰＣ入力Ｉ／Ｆ２３を介して出力切換部２８に送られる。ここで、出力切換部２８は、上記Ｓ８１で表示部３０への出力をＰＣ入力Ｉ／Ｆ２３に設定している。したがって、上記映像信号は、出力切換部２８を通過して画像処理制御部２９で所定の画像処理を施された後、表示部３０に出力されることになる（Ｓ４６）。
【０１５４】
以上のように、本参考例の映像表示システムにおいても、上記実施形態と同様に、ＰＣ１１の起動あるいは休止復帰時に映像表示システムが自動的にＰＣモードに切り換わり、ＰＣ１１の起動停止あるいは休止時に映像表示システムが自動的にテレビモードに切り換わる。そして、表示部３０に表示される番組は、テレビモードからＰＣモードへの切り換えが行われた場合にも、ＰＣモードからテレビモードへの切り換えが行われた場合にも変化することがない。したがって、ユーザは、テレビモードとＰＣモードとの切り換えを煩雑な操作を行うことなくスムーズに行うことができると共に、テレビモードとＰＣモードとを互いに切り換えた場合であっても、切り換え前と同じ番組を中断することなく引き続き視聴することができる。
【０１５５】
〔変形例〕
上述のように、本発明の映像表示システムによれば、ＰＣ１１とテレビ２１との出力切り換え時に、ユーザが何ら操作を行うことなく、同じ番組を引き続き視聴することができる。ここで、ユーザがＰＣモードあるいはテレビモードで視聴していた番組が字幕放送等であった場合には、ＰＣ１１とテレビ２１との出力切り換え後の字幕モード及び音声モードが出力切り換え前の字幕モード及び音声モードと異なることも考えられる。
【０１５６】
例えば、ユーザがテレビモードにて日本語字幕の英語音声で番組を視聴していた場合に、ＰＣモードに切り換えを行うことにより、ＰＣ１１から英語字幕の日本語音声で同じ番組が出力されることも考えられる。このような場合には、ユーザは、出力切り換え後に字幕モードや音声モードを変更する必要があり、番組の視聴が妨げられてしまう。
【０１５７】
そこで、例えば、ＰＣ１１とテレビ２１との出力切り換え時に、ＰＣ１１またはテレビ２１にて適用していた字幕モードや音声モード等を特定するためのモード特定情報をチャンネルコードと共に送信するようにしてもよい。そして、ＰＣ１１またはテレビ２１において字幕モードや音声モード等を設定するモード設定手段が上記モード特定情報に基づいて字幕モードや音声モード等を設定するようにすればよい。これにより、ＰＣ１１とテレビ２１との出力切り換えの前後で字幕モードや音声モード等も同じにすることができる。
【０１５８】
具体的には、ＰＣ１１が受信中の番組の字幕モード及び音声モードの少なくとも一方を特定するためのモード切換情報をテレビ２１に送信するモード設定手段をＰＣ１１に設けることにより、テレビ２１が受信する番組の字幕モード及び音声モードの少なくとも一方をＰＣ１１が受信中の番組と同じにすることができる。同様に、テレビ２１が受信中の番組の字幕モード及び音声モードの少なくとも一方を特定するためのモード切換情報をＰＣ１１に送信する手段をテレビ２１に設け、上記モード切換情報を受信して字幕モード及び音声モードの少なくとも一方を設定する手段をＰＣ１１に設けることにより、テレビ２１とＰＣ１１との字幕モード及び音声モードの少なくとも一方を同じにすることができる。
【０１５９】
また、番組においてどの時間にどのようなシーンが含まれているかを示すシナリオ情報が利用できる場合には、このシナリオ情報を用いてＰＣ１１とテレビ２１との出力切り換えを行うようにしてもよい。なお、シナリオ情報のＰＣ１１及びテレビ２１への供給方法は、特に限定されない。例えば、番組と共に放送波の形態で供給するようにしてもよいし、インターネット等の他の通信ネットワークを介して供給するようにしてもよい。
【０１６０】
例えば、上記シナリオ情報を参照することにより、番組のどの時間帯にコマーシャルが挿入されているかを判別することができる。これを利用して、ＰＣ側連携制御部１４またはテレビ側連携制御部２４が、コマーシャルが放送されている時間帯にはＰＣモードに切り換えを行い、番組の本編が放送されている時間帯にはテレビモードに切り換えを行うようにしてもよい。これにより、ユーザは、番組の本編をテレビモードで集中して視聴することができ、コマーシャルはＰＣ１１の操作を行いながら視聴することができる。
【０１６１】
また、例えば、上記シナリオ情報を参照することにより、番組のどの時間帯にどのタレントが登場するかを判別したり、番組のどの時間帯にどのようなシーンが含まれているかを判別したりすることができる。これを利用して、ＰＣ側連携制御部１４またはテレビ側連携制御部２４が、ユーザが予め登録したタレントが登場する時間帯や、ユーザの嗜好を示す嗜好情報にマッチするシーンが放送される時間帯にはテレビモードに切り換えを行うようにしてもよい。これにより、ユーザは、ユーザの嗜好に応じた場面をテレビモードで集中して視聴することができる。
【０１６２】
さらに、上記実施形態では、データ供給装置としてＰＣ１１を適用した例について説明したが、データ供給装置はＰＣ１１に限られない。例えば、データ供給装置は、テレビ２１に訪問者の映像を出力するドアホンであってもよい。この場合には、インターホンが押されたことを所定のイベントとして検知して、テレビ２１の出力をドアホンに切り換えるようにすればよい。これにより、ユーザは、テレビに夢中で来客に気付かないおそれがなく、またテレビの視聴も中断されずに済む。
【０１６３】
また、データ供給装置は、監視カメラ等の撮像装置であってもよい。この場合には、例えば撮像された映像の変化を取得し、映像が変化したことを所定のイベントとして検知して、テレビ２１の出力を撮像装置に切り換えるようにすればよい。これにより、ユーザは、映像に変化がないときにはテレビを集中して視聴することができると共に、映像が変化した場合には、テレビ２１の出力モードが切り換えられるので、映像の変化を見落とすことがなくなる。
【０１６４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６５】
最後に、ＰＣ１１及びテレビ２１の各ブロック、特にＰＣ側連携制御部１４、及びテレビ側連携制御部２４は、ハードウェアロジックによって構成してもよいし、次のようにＣＰＵを用いてソフトウェアによって実現してもよい。
【０１６６】
すなわち、ＰＣ１１及びテレビ２１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるＰＣ１１及びテレビ２１の制御プログラムのプログラムコード（実行形式プログラム、中間コードプログラム、ソースプログラム）をコンピュータで読み取り可能に記録した記録媒体を、上記ＰＣ１１及びテレビ２１に供給し、そのコンピュータ（またはＣＰＵやＭＰＵ）が記録媒体に記録されているプログラムコードを読み出し実行することによっても、達成可能である。
【０１６７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６８】
また、ＰＣ１１及びテレビ２１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６９】
ＰＣとテレビとを含むシステムに限られず、データを出力するデータ出力装置と、該データ出力装置にデータを供給するデータ供給装置とを含むシステムであれば本発明を適用することができる。
【０１７０】
例えば、データ出力装置がテレビ放送を受信するテレビ受信装置であり、データ供給装置がラジオ放送を受信して上記テレビ受信装置のスピーカから上記受信したラジオ放送を出力させるラジオ受信機であってもよい。なお、この場合には、テレビ放送の番組とラジオ放送の番組とは同じではないので、連携処理の際には同じ内容を含む番組を受信するようにすればよい。例えば、テレビ放送で野球中継を視聴していた場合に、ラジオ出力に切り換えたときには、テレビ放送で視聴していた野球中継のラジオ放送を受信するようにすればよい。
【図面の簡単な説明】
【０１７１】
【図１】本発明の実施形態を示すものであり、映像表示システムの要部構成を示すブロック図である。
【図２】上記映像表示システムが実行する映像表示処理の一例を示すフローチャートである。
【図３】上記映像表示システムにおいて、出力モードがＰＣモードに設定されたことを示すデータの一例を示す図である。
【図４】本発明の実施形態を示すものであり、同図（ａ）はＰＣ−テレビ連携処理前に表示部に表示される映像の一例を示す図であり、同図（ｂ）はＰＣ−テレビ連携処理後に表示部に表示される映像の一例を示す図であり、同図（ｃ）はＰＣ−テレビ連携処理の前後におけるＰＣ及びテレビの主な動作を示す図である。
【図５】本発明の実施形態を示すものであり、同図（ａ）はチャンネル切り換え前に表示部に表示される映像の一例を示す図であり、同図（ｂ）はチャンネル切り換え後に表示部に表示される映像の一例を示す図であり、同図（ｃ）はチャンネル切り換えの前後におけるＰＣ及びテレビの主な動作を示す図である。
【図６】本発明の実施形態を示すものであり、同図（ａ）はテレビ−ＰＣ連携処理前に表示部に表示される映像の一例を示す図であり、同図（ｂ）はテレビ−ＰＣ連携処理後に表示部に表示される映像の一例を示す図であり、同図（ｃ）はテレビ−ＰＣ連携処理の前後におけるＰＣ及びテレビの主な動作を示す図である。
【図７】本発明の実施形態を示すものであり、同図（ａ）はチャンネル切り換え前に表示部に表示される映像の一例を示す図であり、同図（ｂ）はチャンネル切り換え後に表示部に表示される映像の一例を示す図であり、同図（ｃ）はチャンネル切り換えの前後におけるＰＣ及びテレビの主な動作を示す図である。
【図８】上記映像表示システムにおけるＰＣ−テレビ連携処理の一例を示すフローチャートである。
【図９】上記映像表示システムにおけるテレビ−ＰＣ連携処理の一例を示すフローチャートである。
【図１０】上記とは別の映像表示システムにおけるＰＣ−テレビ連携処理の一例を示すフローチャートである。
【図１１】上記映像表示システムにおけるテレビ−ＰＣ連携処理の一例を示すフローチャートである。
【図１２】従来技術を示すものであり、同図（ａ）は、テレビモードにおいて表示される映像の一例を示す図であり、同図（ｂ）は、テレビモードにおいてＰＣを起動させたときに表示部に表示される映像の一例を示す図であり、同図（ｃ）は、テレビモードにおいて出力切り換えを行った後に表示される映像の一例を示す図である。
【符号の説明】
【０１７２】
１    映像表示システム（データ表示システム）
１１    ＰＣ（データ供給装置）
１４    ＰＣ側連携制御部（連携制御手段、切換信号送信手段、番組切換情報送信手段）
１５    ＰＣ側通信Ｉ／Ｆ（番組情報受信手段）
１６    ワンセグチューナ（第２チューナ）
１８    表示出力Ｉ／Ｆ（データ送信手段）
２１    テレビ（表示装置）
【図１】
0004399489.tif 000002
【図２】
0004399489.tif 000003
【図３】
0004399489.tif 000004
【図４】
0004399489.tif 000005
【図５】
0004399489.tif 000006
【図６】
0004399489.tif 000007
【図７】
0004399489.tif 000008
【図８】
0004399489.tif 000009
【図９】
0004399489.tif 000010
【図１０】
0004399489.tif 000011
【図１１】
0004399489.tif 000012
【図１２】
0004399489.tif 000013